(57)【要約】  本開示は、リソース割り当て特定方法、リソース割り当て指示方法、端末およびネットワーク側機器を提供する。本開示のリソース割り当て特定方法は、端末に応用される。前記方法において、ＤＣＩの中のリソース割り当て指示エリアのビット数Ｎを特定することと、前記ＤＣＩに基づき、データチャネルの位置するＢＷＰを特定することと、前記ＤＣＩの中のリソース割り当て指示エリアの情報に基づき、データチャネルに対し、前記データチャネルの位置するＢＷＰでのリソース割り当てを特定することとを含む。【選択図】  図１
2020536419.tif 000002
【特許請求の範囲】
【請求項１】
端末に応用されるリソース割り当て特定方法において、
ＤＣＩの中のリソース割り当て指示エリアのビット数Ｎを特定することと、
前記ＤＣＩに基づき、データチャネルの位置するＢＷＰを特定することと、
前記ＤＣＩの中のリソース割り当て指示エリアの情報に基づき、データチャネルに対し、前記データチャネルの位置するＢＷＰでのリソース割り当てを特定することとを含む、リソース割り当て特定方法。
【請求項２】
前記の前記ＤＣＩの中のリソース割り当て指示エリアの情報に基づき、データチャネルに対し、前記データチャネルの位置するＢＷＰでのリソース割り当てを特定することは、
データチャネルの位置するＢＷＰのＲＢＧ数Ｌを特定することと、
ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、
ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定することとを含む、請求項１に記載のリソース割り当て特定方法。
【請求項３】
前記の前記ＤＣＩの中のリソース割り当て指示エリアの情報に基づき、データチャネルに対し、前記データチャネルの位置するＢＷＰ内のＮ個のＲＢＧでのリソース割り当てを特定する場合、
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項２に記載のリソース割り当て特定方法。
【請求項４】
前記の前記ＤＣＩの中のリソース割り当て指示エリアの情報に基づき、データチャネルに対し、前記データチャネルの位置するＢＷＰでのリソース割り当てを特定することは、
データチャネルの位置するＢＷＰのうちリソース割り当てに必要なビット数Ｍを特定することと、
ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、
ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定することとを含む、請求項１に記載のリソース割り当て特定方法。
【請求項５】
前記のＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定する場合、
前記Ｍビットは、前記Ｎビットの上位Ｍビットであり、または、前記Ｍビットは、前記Ｎビットの下位Ｍビットである、請求項４に記載のリソース割り当て特定方法。
【請求項６】
前記のＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定する場合、
前記Ｎビットは、前記Ｍビットの下位Ｎビットであり、または、前記Ｎビットは、前記Ｍビットの上位Ｎビットである、請求項４に記載のリソース割り当て特定方法。
【請求項７】
ネットワーク側機器に応用されるリソース割り当て指示方法において、
ＤＣＩの中のリソース割り当て指示エリアのビット数Ｎを特定することと、
データチャネルの位置するＢＷＰを前記ＤＣＩによって指示することと、
前記リソース割り当て指示エリアで、Ｎビットによって、データチャネルに対し、前記データチャネルの位置するＢＷＰでのリソース割り当てを指示することとを含む、リソース割り当て指示方法。
【請求項８】
前記の前記リソース割り当て指示エリアで、Ｎビットによって、データチャネルに対し、前記データチャネルの位置するＢＷＰでのリソース割り当てを指示することは、
データチャネルの位置するＢＷＰのＲＢＧ数Ｌを特定することと、
ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、
ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示することとを含む、請求項７に記載のリソース割り当て指示方法。
【請求項９】
前記の前記リソース割り当て指示エリアで、Ｎビットによって、データチャネルに対し、前記データチャネルの位置するＢＷＰ内のＮ個のＲＢＧでのリソース割り当てを指示する場合、
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項８に記載のリソース割り当て指示方法。
【請求項１０】
前記の前記リソース割り当て指示エリアで、Ｎビットによって、データチャネルに対し、前記データチャネルの位置するＢＷＰでのリソース割り当てを指示することは、
データチャネルの位置するＢＷＰのうちリソース割り当てに必要なビット数Ｍを特定することと、
ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、
ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示することとを含む、請求項７に記載のリソース割り当て指示方法。
【請求項１１】
前記のＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示する場合、
前記Ｍビットは、前記Ｎビットの上位Ｍビットであり、または、前記Ｍビットは、前記Ｎビットの下位Ｍビットである、請求項１０に記載のリソース割り当て指示方法。
【請求項１２】
前記のＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示する場合、
前記Ｎビットは、前記Ｍビットの下位Ｎビットであり、または、前記Ｎビットは、前記Ｍビットの上位Ｎビットである、請求項１０に記載のリソース割り当て指示方法。
【請求項１３】
ＤＣＩの中のリソース割り当て指示エリアのビット数Ｎを特定するための計算モジュールと、
前記ＤＣＩに基づき、データチャネルの位置するＢＷＰを特定するためのＢＷＰ特定モジュールと、
前記ＤＣＩの中のリソース割り当て指示エリアの情報に基づき、データチャネルに対し、前記データチャネルの位置するＢＷＰでのリソース割り当てを特定するためのリソース割り当て特定モジュールとを含む、端末。
【請求項１４】
前記リソース割り当て特定モジュールは、
データチャネルの位置するＢＷＰのＲＢＧ数Ｌを特定するための第３計算ユニットと、
ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するための第１特定ユニットとを含む、請求項１３に記載の端末。
【請求項１５】
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項１４に記載の端末。
【請求項１６】
前記リソース割り当て特定モジュールは、
データチャネルの位置するＢＷＰのうちリソース割り当てに必要なビット数Ｍを特定するための第４計算ユニットと、
ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定するための第２特定ユニットとを含む、請求項１３に記載の端末。
【請求項１７】
ＮがＭ以上であると、前記Ｍビットは、前記Ｎビットの上位Ｍビットであり、または、前記Ｍビットは、前記Ｎビットの下位Ｍビットである、請求項１６に記載の端末。
【請求項１８】
ＮがＭより小さくなると、前記Ｎビットは、前記Ｍビットの下位Ｎビットであり、または、前記Ｎビットは、前記Ｍビットの上位Ｎビットである、請求項１６に記載の端末。
【請求項１９】
ＤＣＩの中のリソース割り当て指示エリアのビット数Ｎを特定するための計算モジュールと、
データチャネルの位置するＢＷＰを前記ＤＣＩによって指示するためのＢＷＰ指示モジュールと、
前記リソース割り当て指示エリアで、Ｎビットによって、データチャネルに対し、前記データチャネルの位置するＢＷＰでのリソース割り当てを指示するためのリソース割り当て指示モジュールとを含む、ネットワーク側機器。
【請求項２０】
前記リソース割り当て指示モジュールは、
データチャネルの位置するＢＷＰのＲＢＧ数Ｌを特定するための第３計算ユニットと、
ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示するための第１指示ユニットとを含む、請求項１９に記載のネットワーク側機器。
【請求項２１】
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項２０に記載のネットワーク側機器。
【請求項２２】
前記リソース割り当て指示モジュールは、
データチャネルの位置するＢＷＰのうちリソース割り当てに必要なビット数Ｍを特定するための第４計算ユニットと、
ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示するための第２指示ユニットとを含む、請求項１９に記載のネットワーク側機器。
【請求項２３】
ＮがＭ以上であると、前記Ｍビットは、前記Ｎビットの上位Ｍビットであり、または、前記Ｍビットは、前記Ｎビットの下位Ｍビットである、請求項２２に記載のネットワーク側機器。
【請求項２４】
ＮがＭより小さくなると、前記Ｎビットは、前記Ｍビットの下位Ｎビットであり、または、前記Ｎビットは、前記Ｍビットの上位Ｎビットである、請求項２２に記載のネットワーク側機器。
【請求項２５】
メモリと、プロセッサと、トランシーバと、前記メモリに記憶されて前記プロセッサで実行可能なコンピュータプログラムを含む端末において、
前記プロセッサは、前記プログラムを実行すると、
請求項１〜６のいずれか一項に記載のリソース割り当て特定方法のステップを実現することを特徴とする端末。
【請求項２６】
メモリと、プロセッサと、トランシーバと、前記メモリに記憶されて前記プロセッサで実行可能なコンピュータプログラムを含むネットワーク側機器において、
前記プロセッサは、前記コンピュータプログラムを実行すると、
請求項７〜１２のいずれか一項に記載のリソース割り当て指示方法のステップを実現することを特徴とするネットワーク側機器。
【請求項２７】
コンピュータプログラムを記憶するためのコンピュータ読み取り可能な記憶媒体であって、
前記コンピュータプログラムがプロセッサによって実行されると、請求項１〜６のいずれか一項に記載のリソース割り当て特定方法のステップが実現され、または、請求項７〜１２のいずれか一項に記載のリソース割り当て指示方法のステップが実現されることを特徴とするコンピュータ読み取り可能な記憶媒体。
【発明の詳細な説明】
【技術分野】
【０００１】
本願は、２０１７年９月３０日に中国特許庁に提出された中国特許出願２０１７１０９１９９５５．０の優先権を主張し、その全ての内容が援用によりここに取り込まれる。
本開示は、通信技術分野に係り、特にリソース割り当て特定方法、リソース割り当て指示方法、端末およびネットワーク側機器に係る。
【背景技術】
【０００２】
ＮＲ（Ｎｅｗ  Ｒａｄｉｏ）ではキャリア帯域幅の増加につれて、ＮＲ  ＵＥ（ｕｓｅｒ  ｅｑｕｉｐｍｅｎｔ）が全帯域幅での送受信をサポートできない可能性があるため、キャリア帯域幅部分ＢＷＰ（ＢａｎｄＷｉｄｔｈ  Ｐａｒｔ）の概念がＮＲに導入されている。キャリア帯域幅部分は、１つのキャリアで１つの連続ＰＲＢ（Ｐｈｙｓｉｃａｌ  Ｒｅｓｏｕｒｃｅ  Ｂｌｏｃｋ）サブセットである。ＵＥに対し複数のＢＷＰを配置可能であり、ＮＲでは、ＤＣＩ（Ｄｏｗｎｌｉｎｋ  Ｃｏｎｔｒｏｌ  Ｉｎｆｏｒｍａｔｉｏｎ）のスケジューリングによってＵＥの活性化ＢＷＰを動的に切り替えることがサポートされる。ＵＥは、活性化されたキャリア帯域幅部分のみで送受信する。
【０００３】
ＮＲでは、ＲＢＧ（Ｒｅｓｏｕｒｃｅ  Ｂｌｏｃｋ  Ｇｒｏｕｐ）に基づくリソース割り当て方式およびＲＩＶ（Ｒｅｓｏｕｒｃｅ  Ｉｎｄｉｃａｔｉｏｎ  Ｖａｌｕｅ）に基づくリソース割り当て方式がサポートされる。ＲＢＧとは、連続に分布するＲＢ群である。ＢＷＰ内のＲＢをＲＢＧサイズに応じて区分し、各ＲＢＧが割り当てられるかをＤＣＩの中でｂｉｔｍａｐの形式でそれぞれ指示する。Ｂｉｔｍａｐのビット数は、ＲＢＧ数によって決められる。前記ＲＢＧ数は、ＢＷＰ帯域幅サイズおよびＲＢＧサイズに関係する。ＲＢＧサイズは、ＢＷＰ帯域幅サイズによって特定されるか、ネットワーク側から通知される。ＲＩＶに基づくリソース割り当て方式とは、初期ＲＢ番号とＲＢ数の統合符号化を行うことによって、連続ＲＢの割り当てを実現する。ＤＣＩの中でリソース割り当て用のビット数は、ＢＷＰ帯域幅サイズおよびリソース割り当て粒子度に関係する。
【０００４】
上記のように、ＮＲ  ＤＣＩの中の周波数領域リソース割り当てに必要なビット数がＢＷＰに関係し、ＢＷＰによっては、その周波数領域リソース割り当てに必要なビット数は、異なる可能性がある。データチャネルの位置するＢＷＰをＤＣＩによって動的に指示することがサポートされる場合、ＤＣＩ伝送用のＢＷＰとデータチャネル伝送用のＢＷＰとは、異なるものであり、または対応しないものである可能性がある。たとえば、ダウンリンクスケジューリングの場合、ＰＤＳＣＨ（Ｐｈｙｓｉｃａｌ  Ｄｏｗｎｌｉｎｋ  Ｓｈａｒｅｄ  Ｃｈａｎｎｅｌ）の位置するＢＷＰは、そのスケジューリング情報が搬送されるＰＤＣＣＨ（Ｐｈｙｓｉｃａｌ  Ｄｏｗｎｌｉｎｋ  Ｃｏｎｔｒｏｌ  Ｃｈａｎｎｅｌ）とは異なるＢＷＰに位置する可能性がある。ＦＤＤ（Ｆｒｅｑｕｅｎｃｙ  Ｄｉｖｉｓｉｏｎ  Ｄｕａｌ）のアップリンクスケジューリングの場合、ＰＵＳＣＨ（Ｐｈｙｓｉｃａｌ  Ｕｐｌｉｎｋ  Ｓｈａｒｅｄ  Ｃｈａｎｎｅｌ）の位置するアップリンクＢＷＰは、そのスケジューリング情報が搬送されるＰＤＣＣＨに対応するダウンリンクＢＷＰではない可能性がある。
【０００５】
ＤＣＩの中の周波数領域割り当て指示エリアがデータチャネルの周波数領域リソース割り当てを指示するためのものであるため、データチャネルのＢＷＰに基づき、ＤＣＩの中の周波数領域リソース割り当てに必要なビット数を特定することは、直接な方法である。しかし、ＵＥは、ＤＣＩの正しく復号する前に、ＤＣＩスケジューリングのデータチャネルの位置するＢＷＰを取得することができない。
【０００６】
現在、データチャネルの位置するＢＷＰがＤＣＩによって動的に指示される場合、ＤＣＩの中の周波数領域リソース割り当てをどのように特定するかは、まだ結論がない。１つの簡単な処理方式として、周波数領域リソース割り当てのビット数は、固定的に、周波数領域リソース割り当てに必要なビット数の最も多いＢＷＰによって特定される。しかし、当該方式の場合、ラジオシグナリングのオーバヘッドを増加させ、システムのリソース利用率を低下させることは、明らかである。
【発明の概要】
【発明が解決しようとする課題】
【０００７】
これに鑑み、本開示は、リソース割り当て特定方法、リソース割り当て指示方法、端末およびネットワーク側機器を提供し、ＤＣＩが搬送される制御チャネルの位置するＢＷＰに基づき、ＤＣＩの中のリソース割り当て指示エリアのサイズを特定することができ、さらに必要のないシグナリングオーバヘッドが避けられる。
【課題を解決するための手段】
【０００８】
本開示は、端末に応用されるリソース割り当て特定方法を提供する。当該方法において、ＤＣＩの中のリソース割り当て指示エリアのビット数Ｎを特定することと、前記ＤＣＩに基づき、データチャネルの位置するＢＷＰを特定することと、前記ＤＣＩの中のリソース割り当て指示エリアの情報に基づき、データチャネルに対し、前記データチャネルの位置するＢＷＰでのリソース割り当てを特定することとを含む。
【０００９】
選択可能に、前記の前記ＤＣＩの中のリソース割り当て指示エリアの情報に基づき、データチャネルに対し、前記データチャネルの位置するＢＷＰでのリソース割り当てを特定することは、データチャネルの位置するＢＷＰのＲＢＧ数Ｌを特定することと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定することとを含む。
【００１０】
選択可能に、前記の前記ＤＣＩの中のリソース割り当て指示エリアの情報に基づき、データチャネルに対し、前記データチャネルの位置するＢＷＰ内のＮ個のＲＢＧでのリソース割り当てを特定する場合、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００１１】
選択可能に、前記の前記ＤＣＩの中のリソース割り当て指示エリアの情報に基づき、データチャネルに対し、前記データチャネルの位置するＢＷＰでのリソース割り当てを特定することは、データチャネルの位置するＢＷＰのうちリソース割り当てに必要なビット数Ｍを特定することと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定することとを含む。
【００１２】
選択可能に、前記のＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定する場合、前記Ｍビットは、前記Ｎビットの上位Ｍビットであり、または、前記Ｍビットは、前記Ｎビットの下位Ｍビットである。
【００１３】
選択可能に、前記のＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定する場合、前記Ｎビットは、前記Ｍビットの下位Ｎビットであり、または、前記Ｎビットは、前記Ｍビットの上位Ｎビットである。
【００１４】
本開示は、ネットワーク側機器に応用されるリソース割り当て指示方法をさらに提供する。当該方法において、ＤＣＩの中のリソース割り当て指示エリアのビット数Ｎを特定することと、データチャネルの位置するＢＷＰを前記ＤＣＩによって指示することと、前記リソース割り当て指示エリアで、Ｎビットによって、データチャネルに対し、前記データチャネルの位置するＢＷＰでのリソース割り当てを指示することとを含む。
【００１５】
選択可能に、前記の前記リソース割り当て指示エリアで、Ｎビットによって、データチャネルに対し、前記データチャネルの位置するＢＷＰでのリソース割り当てを指示することは、データチャネルの位置するＢＷＰのＲＢＧ数Ｌを特定することと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示することとを含む。
【００１６】
選択可能に、前記の前記リソース割り当て指示エリアで、Ｎビットによって、データチャネルに対し、前記データチャネルの位置するＢＷＰ内のＮ個のＲＢＧでのリソース割り当てを指示する場合、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００１７】
選択可能に、前記の前記リソース割り当て指示エリアで、Ｎビットによって、データチャネルに対し、前記データチャネルの位置するＢＷＰでのリソース割り当てを指示することは、データチャネルの位置するＢＷＰのうちリソース割り当てに必要なビット数Ｍを特定することと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示することとを含む。
【００１８】
選択可能に、前記のＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示する場合、前記Ｍビットは、前記Ｎビットの上位Ｍビットであり、または、前記Ｍビットは、前記Ｎビットの下位Ｍビットである。
【００１９】
選択可能に、前記のＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示する場合、前記Ｎビットは、前記Ｍビットの下位Ｎビットであり、または、前記Ｎビットは、前記Ｍビットの上位Ｎビットである。
【００２０】
本開示は、ＤＣＩの中のリソース割り当て指示エリアのビット数Ｎを特定するための計算モジュールと、前記ＤＣＩに基づき、データチャネルの位置するＢＷＰを特定するためのＢＷＰ特定モジュールと、前記ＤＣＩの中のリソース割り当て指示エリアの情報に基づき、データチャネルに対し、前記データチャネルの位置するＢＷＰでのリソース割り当てを特定するためのリソース割り当て特定モジュールとを含む端末をさらに提供する。
【００２１】
選択可能に、前記リソース割り当て特定モジュールは、データチャネルの位置するＢＷＰのＲＢＧ数Ｌを特定するための第３計算ユニットと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するための第１特定ユニットとを含む。
【００２２】
選択可能に、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００２３】
選択可能に、前記リソース割り当て特定モジュールは、データチャネルの位置するＢＷＰのうちリソース割り当てに必要なビット数Ｍを特定するための第４計算ユニットと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定するための第２特定ユニットとを含む。
【００２４】
選択可能に、ＮがＭ以上であると、前記Ｍビットは、前記Ｎビットの上位Ｍビットであり、または、前記Ｍビットは、前記Ｎビットの下位Ｍビットである。
【００２５】
選択可能に、ＮがＭより小さくなると、前記Ｎビットは、前記Ｍビットの下位Ｎビットであり、または、前記Ｎビットは、前記Ｍビットの上位Ｎビットである。
【００２６】
本開示は、ＤＣＩの中のリソース割り当て指示エリアのビット数Ｎを特定するための計算モジュールと、データチャネルの位置するＢＷＰを前記ＤＣＩによって指示するためのＢＷＰ指示モジュールと、前記リソース割り当て指示エリアで、Ｎビットによって、データチャネルに対し、前記データチャネルの位置するＢＷＰでのリソース割り当てを指示するためのリソース割り当て指示モジュールとを含むネットワーク側機器をさらに提供する。
【００２７】
選択可能に、前記リソース割り当て指示モジュールは、データチャネルの位置するＢＷＰのＲＢＧ数Ｌを特定するための第３計算ユニットと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示するための第１指示ユニットとを含む。
【００２８】
選択可能に、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００２９】
選択可能に、前記リソース割り当て指示モジュールは、データチャネルの位置するＢＷＰのうちリソース割り当てに必要なビット数Ｍを特定するための第４計算ユニットと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示するための第２指示ユニットとを含む。
【００３０】
選択可能に、ＮがＭ以上であると、前記Ｍビットは、前記Ｎビットの上位Ｍビットであり、または、前記Ｍビットは、前記Ｎビットの下位Ｍビットである。
【００３１】
選択可能に、ＮがＭより小さくなると、前記Ｎビットは、前記Ｍビットの下位Ｎビットであり、または、前記Ｎビットは、前記Ｍビットの上位Ｎビットである。
【００３２】
本開示は、メモリと、プロセッサと、トランシーバと、前記メモリに記憶されて前記プロセッサで実行可能なコンピュータプログラムを含む端末であって、前記プロセッサが前記プログラムを実行すると、以上記載したリソース割り当て特定方法のステップを実現することを特徴とする端末をさらに提供する。
【００３３】
本開示は、メモリと、プロセッサと、トランシーバと、前記メモリに記憶されて前記プロセッサで実行可能なコンピュータプログラムを含むネットワーク側機器であって、前記プロセッサが前記コンピュータプログラムを実行すると、以上記載したリソース割り当て指示方法のステップを実現することを特徴とするネットワーク側機器をさらに提供する。
【００３４】
本開示は、コンピュータプログラムを記憶するためのコンピュータ読み取り可能な記憶媒体であって、前記コンピュータプログラムがプロセッサによって実行されると、以上記載したリソース割り当て指示方法のステップを実現することを特徴とするコンピュータ読み取り可能な記憶媒体をさらに提供する。
【発明の効果】
【００３５】
上記手段において、データチャネルの位置するＢＷＰをネットワーク側からＤＣＩによって指示し、または活性化ＢＷＰをネットワーク側からＤＣＩによって切り替えることがセットされる場合、ＤＣＩが搬送される制御チャネルの位置するＢＷＰを特定し、制御チャネルの位置するＢＷＰに基づき、ＤＣＩの中のリソース割り当て指示エリアのビット数Ｎを特定する。本開示の技術手段において、すべてのＢＷＰでリソース割り当て指示エリアのサイズがビット数の最も多いＢＷＰによって特定されるのではなく、ＤＣＩが搬送される制御チャネルの位置するＢＷＰに基づき、ＤＣＩの中のリソース割り当て指示エリアのサイズを特定することができるため、ラジオシグナリングのオーバヘッドを低下させ、システムのリソース利用率を向上させることができる。
【図面の簡単な説明】
【００３６】
【図１】本開示の一部実施例におけるリソース割り当て特定方法のフローチャートである。
【図２】本開示の一部実施例におけるリソース割り当て指示方法のフローチャートである。
【図３】ダウンリンクスケジューリングでネットワーク側から端末に２つのダウンリンクＢＷＰを配置する概略図である。
【図４】ＦＤＤのアップリンクスケジューリングでネットワーク側から端末に２つのＢＷＰを配置する概略図である。
【図５】ＴＤＤのアップリンクスケジューリングでネットワーク側から端末に２つのＢＷＰを配置する概略図である。
【図６】本開示の一部実施例における端末の構造ブロック図である。
【図７】本開示の一部実施例におけるネットワーク側機器の構造ブロック図である。
【図８】本開示の一部実施例における端末の構造ブロック図である。
【図９】本開示の一部実施例におけるネットワーク側機器の構造ブロック図である。
【発明を実施するための形態】
【００３７】
以下、図面および実施例を通じて、本開示の具体的な実施形態をさらに詳細に記載する。以下の実施例は、本開示を説明することに用いられるが、本開示の範囲を制限するために用いられない。
【００３８】
本開示は、リソース割り当て特定方法、リソース割り当て指示方法、端末およびネットワーク側機器を提供し、ＤＣＩが搬送される制御チャネルの位置するＢＷＰに基づき、ＤＣＩの中のリソース割り当て指示エリアのサイズを特定することができ、さらに必要のないシグナリングオーバヘッドが避けられる。
【００３９】
本開示の一部実施例において、端末に応用されるリソース割り当て特定方法を提供する。図１に示すように、前記方法において、ＤＣＩの中のリソース割り当て指示エリアのビット数Ｎを特定するステップ１０１と、前記ＤＣＩに基づき、データチャネルの位置するＢＷＰを特定するステップ１０２と、前記ＤＣＩの中のリソース割り当て指示エリアの情報に基づき、データチャネルに対し、前記データチャネルの位置するＢＷＰでのリソース割り当てを特定するステップ１０３とを含む。
【００４０】
本実施例において、本開示の技術手段によれば、すべてのＢＷＰでリソース割り当て指示エリアのサイズがビット数の最も多いＢＷＰによって特定されるのではなく、現在のＢＷＰに基づき、ＤＣＩの中のリソース割り当て指示エリアのサイズを特定することができるため、ラジオシグナリングのオーバヘッドを低下させ、システムのリソース利用率を向上させることができる。
【００４１】
本開示の一部実施例において、前記方法では、具体的に、ＤＣＩの中のリソース割り当て指示エリアのビット数Ｎを特定することを含む。
【００４２】
１つの具体的な実施例において、前記方法では、前記ＤＣＩに基づき、データチャネルの位置するＢＷＰを特定することと、前記ＤＣＩの中のリソース割り当て指示エリアの情報に基づき、データチャネルに対し、前記データチャネルの位置するＢＷＰでのリソース割り当てを特定することとをさらに含む。
【００４３】
本開示の一部実施例において、前記の前記ＤＣＩの中のリソース割り当て指示エリアの情報に基づき、データチャネルに対し、前記データチャネルの位置するＢＷＰでのリソース割り当てを特定することは、データチャネルの位置するＢＷＰのＲＢＧ数Ｌを特定することと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定することとを含む。
【００４４】
１つの具体的な実施例において、前記の前記ＤＣＩの中のリソース割り当て指示エリアの情報に基づき、データチャネルに対し、前記データチャネルの位置するＢＷＰ内のＮ個のＲＢＧでのリソース割り当てを特定する場合、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００４５】
１つの具体的な実施例において、前記の前記ＤＣＩの中のリソース割り当て指示エリアの情報に基づき、データチャネルに対し、前記データチャネルの位置するＢＷＰでのリソース割り当てを特定することは、データチャネルの位置するＢＷＰのうちリソース割り当てに必要なビット数Ｍを特定することと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定することとを含む。
【００４６】
本開示の一部実施例において、前記のＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定する場合、前記Ｍビットは、前記Ｎビットの上位Ｍビットであり、または、前記Ｍビットは、前記Ｎビットの下位Ｍビットである。
【００４７】
本開示の一部実施例において、前記のＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定する場合、前記Ｎビットは、前記Ｍビットの下位Ｎビットであり、または、前記Ｎビットは、前記Ｍビットの上位Ｎビットである。
【００４８】
本開示の一部実施例において、ネットワーク側機器に応用されるリソース割り当て指示方法をさらに提供する。図２に示すように、前記方法において、ＤＣＩの中のリソース割り当て指示エリアのビット数Ｎを特定するステップ２０１と、データチャネルの位置するＢＷＰを前記ＤＣＩによって指示するステップ２０２と、前記リソース割り当て指示エリアで、Ｎビットによって、データチャネルに対し、前記データチャネルの位置するＢＷＰでのリソース割り当てを指示するステップ２０３とを含む。
【００４９】
本実施例において、本開示の技術手段によれば、すべてのＢＷＰでリソース割り当て指示エリアのサイズがビット数の最も多いＢＷＰによって特定されるのではなく、ＤＣＩが搬送される制御チャネルの位置するＢＷＰに基づき、ＤＣＩの中のリソース割り当て指示エリアのサイズを特定することができるため、ラジオシグナリングのオーバヘッドを低下させ、システムのリソース利用率を向上させることができる。
【００５０】
本開示の一部実施例において、前記方法では、具体的に、ＤＣＩの中のリソース割り当て指示エリアのビット数Ｎを特定することを含む。
【００５１】
１つの具体的な実施例において、前記方法では、データチャネルの位置するＢＷＰを前記ＤＣＩによって指示し、前記リソース割り当て指示エリアで、Ｎビットによって、データチャネルに対し、前記データチャネルの位置するＢＷＰでのリソース割り当てを指示することをさらに含む。
【００５２】
１つの具体的な実施例において、前記の前記リソース割り当て指示エリアで、Ｎビットによって、データチャネルに対し、前記データチャネルの位置するＢＷＰでのリソース割り当てを指示することは、データチャネルの位置するＢＷＰのＲＢＧ数Ｌを特定することと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示することとを含む。
【００５３】
本開示の一部実施例において、前記の前記リソース割り当て指示エリアで、Ｎビットによって、データチャネルに対し、前記データチャネルの位置するＢＷＰ内のＮ個のＲＢＧでのリソース割り当てを指示する場合、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００５４】
１つの具体的な実施例において、前記の前記リソース割り当て指示エリアで、Ｎビットによって、データチャネルに対し、前記データチャネルの位置するＢＷＰでのリソース割り当てを指示することは、データチャネルの位置するＢＷＰのうちリソース割り当てに必要なビット数Ｍを特定することと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示することとを含む。
【００５５】
本開示の一部実施例において、前記のＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示する場合、前記Ｍビットは、前記Ｎビットの上位Ｍビットであり、または、前記Ｍビットは、前記Ｎビットの下位Ｍビットである。
【００５６】
本開示の一部実施例において、前記のＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示する場合、前記Ｎビットは、前記Ｍビットの下位Ｎビットであり、または、前記Ｎビットは、前記Ｍビットの上位Ｎビットである。
【００５７】
以下、具体的な実施例を通じて、本開示のリソース割り当て特定方法を詳細に紹介する。
【００５８】
具体的な実施例１：
本実施例は、ダウンリンクスケジューリングを例として本開示のリソース割り当て特定方法を説明する。図３に示すように、ネットワーク側からＵＥに対し、ＤＬ（ダウンリンク）  ＢＷＰ１とＤＬ  ＢＷＰ２の２つのダウンリンクＢＷＰを配置したとし、ＤＣＩｉによってＰＤＳＣＨｉをスケジューリングする（ｉ＝１，２，３）。
【００５９】
ＵＥは、ＤＣＩが搬送されるＰＤＣＣＨの位置するＢＷＰに基づき、ＤＣＩの中のリソース割り当て指示エリアのビット数Ｎを特定する。ＤＣＩ１の中のリソース割り当て指示エリアのビット数をＮ１、ＤＣＩ２の中のリソース割り当て指示エリアのビット数をＮ２、ＤＣＩ３の中のリソース割り当て指示エリアのビット数をＮ３と記す。ＤＣＩは、ＰＤＳＣＨの位置するＢＷＰを指示する。ＵＥは、ＤＣＩの中のＮビットのリソース割り当て指示エリア情報に基づき、ＰＤＳＣＨに対し、ＤＣＩによって指示されるＰＤＳＣＨの位置するＢＷＰでの周波数領域リソースを特定する。
【００６０】
以下、２種類のリソース割り当て方式でさらに詳細に説明する。
【００６１】
（１）ＲＢＧに基づくリソース割り当て方式
ＢＷＰの中のＲＢＧ数をＬとする。前記Ｌは、ＢＷＰの帯域幅サイズおよびＲＢＧサイズに関係する。前記ＲＢＧサイズは、ＢＷＰの帯域幅サイズによって決められるか、ネットワーク側から通知される。ＢＷＰ１の中のＲＢＧ数をＬ１、ＢＷＰ２の中のＲＢＧ数をＬ２と記す。さらにＬ１＞Ｌ２とする。
【００６２】
ＲＢＧに基づく周波数領域リソース割り当て方式では、ＤＣＩの中のＮビットは、ｂｉｔｍａｐの形式でＮ個のＲＢＧのリソース割り当てを指示する。ＵＥは、ＤＣＩが搬送されるＰＤＣＣＨの位置するＢＷＰに基づき、ＤＣＩの中でＲＢＧリソース割り当て用のビット数Ｎを特定する。具体的に、ＢＷＰ１で伝送されるＤＣＩでは、ＲＢＧリソース割り当て用のビット数がＬ１であり、ＢＷＰ２で伝送されるＤＣＩでは、ＲＢＧリソース割り当て用のビット数がＬ２である。
【００６３】
端末は、ネットワーク側のＤＣＩを受信すると、ＤＣＩの中の情報に基づき、ＰＤＳＣＨの位置するＢＷＰを特定し、ＤＣＩの中のＮビットのＲＢＧリソース割り当て指示エリアでの情報に基づき、ＰＤＳＣＨに対し、前記ＰＤＳＣＨの位置するＢＷＰのＬ´（Ｌ´≦Ｌ（ＰＤＳＣＨの位置するＢＷＰのＲＢＧ数））個のＲＢＧでのリソース割り当てを特定する。Ｎ≧Ｌの場合、Ｌ´＝Ｌであり、すなわち、ＤＣＩによって、ＰＤＳＣＨの位置するＢＷＰ内のすべてのＲＢＧを指示することができる。本開示の一部実施例において、Ｎ＞Ｌの場合、ＮビットのうちのＬビットは、ＰＤＳＣＨの位置するＢＷＰ内のＬ個のＲＢＧのリソース割り当てを指示することに用いられる。Ｎ＜Ｌの場合、Ｌ´＝Ｎであり、すなわち、ＤＣＩによって、ＰＤＳＣＨの位置するＢＷＰ内の一部ＲＢＧしか指示できず、前記一部ＲＢＧにＮ個のＲＢＧが含まれる。Ｌ個のＲＢＧで前記Ｎ個のＲＢＧの位置は、予め定義されるか、ネットワーク側から通知される。
【００６４】
具体的に、たとえばＤＣＩ１は、ＢＷＰ１で伝送される。ＤＣＩ１のうち、ＲＢＧリソース割り当て情報指示用のビット数は、ＢＷＰ１に基づいて特定され、すなわちＮ１＝Ｌ１である。ＤＣＩ１は、ＰＤＳＣＨ１がＢＷＰ１に位置することを指示し、ＢＷＰ１に含まれるＲＢＧ数がＬ１である。ＤＣＩ１のうちＲＢＧリソース割り当て用のビット数は、ＰＤＳＣＨの位置するＢＷＰのＲＢＧ数とは同じであり、ＤＣＩのうちＮ１ビットは、ＢＷＰ１のＬ１個のＲＢＧのリソース割り当てを指示することに用いられる。
【００６５】
ＤＣＩ２は、ＢＷＰ１で伝送される。ＤＣＩ２のうち、ＲＢＧリソース割り当て情報指示用のビット数は、ＢＷＰ１に基づいて特定され、すなわちＮ２＝Ｌ１である。ＤＣＩ２は、ＰＤＳＣＨ２がＢＷＰ２に位置することを指示し、ＢＷＰ２に含まれるＲＢＧ数がＬ２である。ＤＣＩ２のうちＲＢＧリソース割り当て用のビット数は、ＰＤＳＣＨの位置するＢＷＰのＲＢＧ数より大きく、Ｎ２＝Ｌ１＞Ｌ２である。ＤＣＩ２の中でＮ２ビットのうちのＬ２ビットは、ＢＷＰ２のＬ２個のＲＢＧのリソース割り当てを指示することに用いられる。前記Ｌ２ビットは、Ｎ２ビットのうちの下位Ｌ２ビットまたは上位Ｌ２ビットである。
【００６６】
ＤＣＩ３は、ＢＷＰ２で伝送される。ＤＣＩ３のうち、ＲＢＧリソース割り当て情報指示用のビット数は、ＢＷＰ２に基づいて特定され、すなわちＮ３＝Ｌ２である。ＤＣＩ３は、ＰＤＳＣＨ３がＢＷＰ１に位置することを指示し、ＢＷＰ１に含まれるＲＢＧ数がＬ１である。ＤＣＩ３のうちＲＢＧリソース割り当て用のビット数は、ＰＤＳＣＨの位置するＢＷＰのＲＢＧ数より小さく、Ｎ３＝Ｌ２＜Ｌ１である。ＤＣＩは、ＢＷＰ１内の一部ＲＢＧしか指示できない。具体的に、ＤＣＩ３のうちＮ３ビットは、ＢＷＰ１のＮ３個のＲＢＧのリソース割り当てを指示することに用いられる。前記Ｎ３個のＲＢＧは、Ｌ１個のＲＢＧのサブセットである。具体的に、たとえば、Ｎ３個のＲＢＧは、Ｌ１個のＲＢＧのうち周波数の最も低いＮ３個のＲＢＧであり、または、周波数の最も高いＮ３個のＲＢＧである。
【００６７】
（２）ＲＩＶに基づくリソース割り当て方式
ＲＩＶに基づくリソース割り当て方式では、Ｌビットは、連続ＲＢ群の割り当てを指示することに用いられる。前記Ｌは、ＢＷＰに含まれるＲＢ数とリソース割り当て粒子度によって決められる。たとえばリソース割り当て粒子度が１つのＲＢである場合、
【数１】
2020536419.tif 000003
、このＫは、ＢＷＰに含まれるＲＢ数である。ダウンリンクＢＷＰ１に必要なＲＢ割り当て用のビット数をＬ１、ダウンリンクＢＷＰ２に必要なＲＢ割り当て用のビット数をＬ２と記す。Ｌ１＞Ｌ２とする。
【００６８】
ＵＥは、ＤＣＩが搬送されるＰＤＣＣＨの位置するＢＷＰに基づき、ＤＣＩのうちＲＢ割り当て用のビット数Ｎを特定する。具体的に、ＢＷＰ１で伝送されるＤＣＩは、そのＲＢリソース割り当て用のビット数がＬ１であり、ＢＷＰ２で伝送されるＤＣＩは、そのＲＢＧリソース割り当て用のビット数がＬ２である。
【００６９】
端末は、ネットワーク側のＤＣＩを受信すると、ＤＣＩの中の情報に基づき、ＰＤＳＣＨの位置するＢＷＰを特定し、ＤＣＩの中のＮビットのＲＢリソース割り当て指示エリアでの情報に基づき、ＰＤＳＣＨに対し、前記ＰＤＳＣＨの位置するＢＷＰでのＲＢリソース割り当てを特定する。Ｎ≧Ｌの場合、ＤＣＩの中でＮビットのうちのＬビットは、ＰＤＳＣＨの位置するＢＷＰでのＲＢリソース割り当てを指示することに用いられる。Ｎ＜Ｌの場合、ＤＣＩの中のＮビットは、ＰＤＳＣＨの位置するＢＷＰでのＲＢリソース割り当てを指示することに用いられる。
【００７０】
具体的に、たとえばＤＣＩ１は、ＢＷＰ１で伝送される。ＤＣＩ１のうち、ＲＢリソース割り当て情報指示用のビット数は、ＢＷＰ１に基づいて特定され、すなわちＮ１＝Ｌ１である。ＤＣＩ１は、ＰＤＳＣＨ１がＢＷＰ１に位置することを指示し、ＢＷＰ１で必要なＲＢリソース割り当て用のビット数がＬ１である。ＤＣＩ１のうちＲＢリソース割り当て用のビット数は、ＰＤＳＣＨの位置するＢＷＰでＲＢリソース割り当て用のビット数とは等しく、ＤＣＩのうちＮ１ビットは、ＢＷＰ１でのＲＢリソース割り当てを指示することに用いられる。
【００７１】
ＤＣＩ２は、ＢＷＰ１で伝送される。ＤＣＩ２のうち、ＲＢリソース割り当て情報指示用のビット数は、ＢＷＰ１に基づいて特定され、すなわちＮ２＝Ｌ１である。ＤＣＩ２は、ＰＤＳＣＨ２がＢＷＰ２に位置することを指示し、ＢＷＰ２で必要なＲＢリソース割り当て用のビット数がＬ２である。ＤＣＩ２のうちＲＢリソース割り当て用のビット数は、ＰＤＳＣＨの位置するＢＷＰで必要なＲＢリソース割り当て用のビット数より大きく、Ｎ２＝Ｌ１＞Ｌ２である。ＤＣＩ２の中のＮ２ビットのうちのＬ２個のビットは、ＢＷＰ２でのＲＢリソース割り当てを指示することに用いられる。前記Ｌ２ビットは、Ｎ２ビットのうちの下位Ｌ２ビットまたは上位Ｌ２ビットである。
【００７２】
ＤＣＩ３は、ＢＷＰ２で伝送される。ＤＣＩ３のうち、ＲＢリソース割り当て情報指示用のビット数は、ＢＷＰ２に基づいて特定され、すなわちＮ３＝Ｌ２である。ＤＣＩ３は、ＰＤＳＣＨ３がＢＷＰ１に位置することを指示し、ＢＷＰ１で必要なＲＢリソース割り当て用のビット数がＬ１である。ＤＣＩ３のうちＲＢリソース割り当て用のビット数は、ＰＤＳＣＨの位置するＢＷＰで必要なＲＢリソース割り当て用のビット数より小さく、Ｎ３＝Ｌ２＜Ｌ１である。ＤＣＩ３のうちＮ３ビットは、ＢＷＰ１でのＲＢリソース割り当てを指示することに用いられる。前記Ｎ３ビットは、Ｌ２ビットのうちの下位Ｎ３ビットまたは上位Ｎ３ビットである。
【００７３】
または、ダウンリンクＢＷＰ１に含まれるＲＢ数をＫ１、ダウンリンクＢＷＰ２に含まれるＲＢ数をＫ２とし、Ｋ１＞Ｋ２とする。ＤＣＩの中のＮビットのＲＢリソース割り当て情報に基づき、ＰＤＳＣＨに対し、前記ＰＤＳＣＨの位置するＢＷＰのＫ´（Ｋ´≦Ｋ（ＰＤＳＣＨの位置するＢＷＰでのＲＢ数））個のＲＢでのリソース割り当てを特定する。Ｎ≧Ｌの場合、Ｋ´＝Ｋであり、すなわち、ＤＣＩによって、ＰＤＳＣＨの位置するＢＷＰ内のすべてのＲＢを指示することができる。本開示の一部実施例において、Ｎ＞Ｌの場合、ＮビットのうちのＬビットは、ＰＤＳＣＨの位置するＢＷＰ内のＫ個のＲＢのリソース割り当てを指示することに用いられる。Ｎ＜Ｌの場合、ＤＣＩによって、ＢＷＰ内の１つのＲＢサブセットしか指示できず、前記ＲＢサブセットにＫ´個のＲＢが含まれる。Ｋ´は、ＤＣＩが搬送されるＰＤＣＣＨの位置するＢＷＰのＲＢ数またはＮビットで指示可能な最大ＲＢ数である。Ｋ個のＲＢで前記Ｋ´個のＲＢの位置は、予め定義されるか、ネットワーク側から通知される。
【００７４】
具体的に、ＤＣＩ１は、ＢＷＰ１で伝送される。ＤＣＩ１のうち、ＲＢリソース割り当て情報指示用のビット数は、ＢＷＰ１に基づいて特定され、すなわちＮ１＝Ｌ１である。ＤＣＩ１は、ＰＤＳＣＨ１がＢＷＰ１に位置することを指示し、ＢＷＰ１に含まれるＲＢ数がＫ１であり、必要なＲＢリソース指示用のビット数がＬ１である。ＤＣＩ１のうちＲＢリソース割り当て用のビット数は、ＰＤＳＣＨの位置するＢＷＰで必要なＲＢリソース割り当て用のビット数とは同じであり、Ｎ１＝Ｌ１であり、ＤＣＩのうちＮ１ビットは、ＢＷＰ１でＫ１個のＲＢのリソース割り当てを指示することに用いられる。
【００７５】
ＤＣＩ２は、ＢＷＰ１で伝送される。ＤＣＩ２のうち、ＲＢリソース割り当て情報指示用のビット数は、ＢＷＰ１に基づいて特定され、すなわちＮ２＝Ｌ１である。ＤＣＩ２は、ＰＤＳＣＨ２がＢＷＰ２に位置することを指示し、ＢＷＰ２に含まれるＲＢ数がＫ２であり、必要なＲＢリソース指示用のビット数がＬ２である。ＤＣＩ２のうちＲＢリソース割り当て用のビット数は、ＰＤＳＣＨの位置するＢＷＰで必要なＲＢリソース割り当て用のビット数より大きく、Ｎ２＝Ｌ１＞Ｌ２である。ＤＣＩの中のＮ２ビットのうちのＬ２ビットは、ＢＷＰ２でのＫ２個のＲＢのリソース割り当てを指示することに用いられる。
【００７６】
ＤＣＩ３は、ＢＷＰ２で伝送される。ＤＣＩ３のうち、ＲＢリソース割り当て情報指示用のビット数は、ＢＷＰ２に基づいて特定され、すなわちＮ３＝Ｌ２である。ＤＣＩ３は、ＰＤＳＣＨ３がＢＷＰ１に位置することを指示し、ＢＷＰ１に含まれるＲＢ数がＫ１であり、必要なＲＢリソース指示用のビット数がＬ１である。ＤＣＩ３のうちＲＢリソース割り当て用のビット数は、ＰＤＳＣＨの位置するＢＷＰで必要なＲＢリソース割り当て用のビット数より小さく、Ｎ３＝Ｌ２＜Ｌ１である。ＤＣＩのうちＮ３ビットは、ＢＷＰ１でＸ個のＲＢのリソース割り当てを指示することに用いられ、Ｘ＜Ｋ１である。具体的に、たとえば前記Ｘ＝Ｋ２またはＸがＮ３ビットで指示可能な最大ＲＢ数であり、すなわち、Ｘは、
【数２】
2020536419.tif 000004
を満たす最大正整数である。ＢＷＰ１の中のＫ１個のＲＢで前記Ｘ個のＲＢの位置は、予め定義されるか、ネットワーク側から通知される。たとえば、Ｘ個のＲＢがＫ１個のＲＢのうち周波数の最も低いＸ個のＲＢまたは周波数の最も高いＸ個のＲＢであると取り決められ、または通知される。
【００７７】
具体的な実施例２：
本実施例は、ＦＤＤのアップリンクスケジューリングを例として本開示のリソース割り当て特定方法を説明する。図４に示すように、ネットワーク側からＵＥに対し、ＵＬ（アップリンク）  ＢＷＰ１とＵＬ  ＢＷＰ２の２つのＢＷＰ群を配置したとする。
【００７８】
ＵＥは、現在の活性化されたアップリンクＢＷＰに基づき、ＤＣＩの中のリソース割り当て指示エリアのビット数Ｎを特定する。ＤＣＩは、ＰＵＳＣＨの位置するＢＷＰを指示する。ＵＥは、ＤＣＩの中のＮビットのリソース割り当て指示エリア情報に基づき、ＰＵＳＣＨに対し、ＤＣＩによって指示されるＰＵＳＣＨの位置するＢＷＰでの周波数領域リソースを特定する。
【００７９】
ＢＷＰに基づいてリソース割り当て指示エリアのビット数を特定することや、ＢＷＰでの周波数領域リソース割り当て方法は、具体的な実施例１とは同じであり、ここでは繰り返して記載しない。
【００８０】
具体的な実施例３：
本実施例は、ＴＤＤのアップリンクスケジューリングを例として本開示のリソース割り当て特定方法を説明する。図５に示すように、ＴＤＤの場合、アップリンク／ダウンリンクＢＷＰが同じであってもよく、時間分割多重方式でアップリンク／ダウンリンク切り替えが行われる。
【００８１】
この場合、ＴＤＤのアップリンクスケジューリングは、具体的な実施例１のダウンリンクスケジューリングに類似する。ここでは繰り返して記載しない。
【００８２】
本開示の一部実施例は、端末をさらに提供する。図６に示すように、前記端末は、ＤＣＩの中のリソース割り当て指示エリアのビット数Ｎを特定するための計算モジュール３１と、前記ＤＣＩに基づき、データチャネルの位置するＢＷＰを特定するためのＢＷＰ特定モジュール３２と、前記ＤＣＩの中のリソース割り当て指示エリアの情報に基づき、データチャネルに対し、前記データチャネルの位置するＢＷＰでのリソース割り当てを特定するためのリソース割り当て特定モジュール３３とを含む。
【００８３】
本実施例において、本開示の技術手段によれば、すべてのＢＷＰでリソース割り当て指示エリアのサイズがビット数の最も多いＢＷＰによって特定されるのではなく、現在のＢＷＰに基づき、ＤＣＩの中のリソース割り当て指示エリアのサイズを特定することができるため、ラジオシグナリングのオーバヘッドを低下させ、システムのリソース利用率を向上させることができる。
【００８４】
本開示の一部実施例において、前記計算モジュール３１は、具体的に、ＤＣＩの中のリソース割り当て指示エリアのビット数Ｎを特定することに用いられる。
【００８５】
１つの具体的な実施例において、前記端末は、前記ＤＣＩに基づき、データチャネルの位置するＢＷＰを特定するためのＢＷＰ特定モジュール３２と、前記ＤＣＩの中のリソース割り当て指示エリアの情報に基づき、データチャネルに対し、前記データチャネルの位置するＢＷＰでのリソース割り当てを特定するためのリソース割り当て特定モジュール３３とをさらに含む。
【００８６】
１つの具体的な実施例において、前記リソース割り当て特定モジュールは、データチャネルの位置するＢＷＰのＲＢＧ数Ｌを特定するための第１計算ユニットと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するための第１特定ユニットとを含む。
【００８７】
本開示の一部実施例において、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００８８】
１つの具体的な実施例において、前記リソース割り当て特定モジュールは、データチャネルの位置するＢＷＰのうちリソース割り当てに必要なビット数Ｍを特定するための第２計算ユニットと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定するための第２特定ユニットとを含む。
【００８９】
本開示の一部実施例において、ＮがＭ以上であると、前記Ｍビットは、前記Ｎビットの上位Ｍビットであり、または、前記Ｍビットは、前記Ｎビットの下位Ｍビットである。
【００９０】
本開示の一部実施例において、ＮがＭより小さくなると、前記Ｎビットは、前記Ｍビットの下位Ｎビットであり、または、前記Ｎビットは、前記Ｍビットの上位Ｎビットである。
【００９１】
なお、本開示の一部実施例における端末は、上記方法実施例におけるリソース割り当て特定方法を対応的に実現できる端末である。よって、上記方法実施例におけるリソース割り当て特定方法のすべての実施例は、すべて端末に応用可能であり、かつ同一または類似する効果を奏することもできる。
【００９２】
また、本開示の各実施例における各機能的モジュールは、１つの処理モジュールに集積されてもよく、各々のモジュールが単独で物理的に含まれてもよく、２つ以上のモジュールが１つのモジュールに集積されてもよい。上記の集積モジュールは、ハードウェアの形態で実現されてもよく、ハードウェアとソフトウェアを組み合わせた機能的モジュールの形態で実現されてもよい。
【００９３】
本開示の一部実施例において、ネットワーク側機器をさらに提供する。図７に示すように、前記ネットワーク側機器は、ＤＣＩの中のリソース割り当て指示エリアのビット数Ｎを特定するための計算モジュール４１と、データチャネルの位置するＢＷＰを前記ＤＣＩによって指示するためのＢＷＰ指示モジュール４２と、前記リソース割り当て指示エリアで、Ｎビットによって、データチャネルに対し、前記データチャネルの位置するＢＷＰでのリソース割り当てを指示するためのリソース割り当て指示モジュール４３とを含む。
【００９４】
本実施例において、本開示の技術手段によれば、すべてのＢＷＰでリソース割り当て指示エリアのサイズがビット数の最も多いＢＷＰによって特定されるのではなく、現在のＢＷＰに基づき、ＤＣＩの中のリソース割り当て指示エリアのサイズを特定することができるため、ラジオシグナリングのオーバヘッドを低下させ、システムのリソース利用率を向上させることができる。
【００９５】
本開示の一部実施例において、前記計算モジュール４１は、具体的に、ＤＣＩの中のリソース割り当て指示エリアのビット数Ｎを特定することに用いられる。
【００９６】
１つの具体的な実施例において、前記ネットワーク側機器は、データチャネルの位置するＢＷＰを前記ＤＣＩによって指示するためのＢＷＰ指示モジュール４２と、前記リソース割り当て指示エリアで、Ｎビットによって、データチャネルに対し、前記データチャネルの位置するＢＷＰでのリソース割り当てを指示するためのリソース割り当て指示モジュール４３とをさらに含む。
【００９７】
１つの具体的な実施例において、前記リソース割り当て指示モジュールは、データチャネルの位置するＢＷＰのＲＢＧ数Ｌを特定するための第１計算ユニットと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示するための第１指示ユニットとを含む。
【００９８】
本開示の一部実施例において、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【００９９】
１つの具体的な実施例において、前記リソース割り当て指示モジュールは、データチャネルの位置するＢＷＰのうちリソース割り当てに必要なビット数Ｍを特定するための第２計算ユニットと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示するための第２指示ユニットとを含む。
【０１００】
本開示の一部実施例において、ＮがＭ以上であると、前記Ｍビットは、前記Ｎビットの上位Ｍビットであり、または、前記Ｍビットは、前記Ｎビットの下位Ｍビットである。
【０１０１】
本開示の一部実施例において、ＮがＭより小さくなると、前記Ｎビットは、前記Ｍビットの下位Ｎビットであり、または、前記Ｎビットは、前記Ｍビットの上位Ｎビットである。
【０１０２】
なお、本開示の一部実施例におけるネットワーク側機器は、上記方法実施例におけるリソース割り当て指示方法を対応的に実現できるネットワーク側機器である。よって、上記方法実施例におけるリソース割り当て指示方法のすべての実施例は、すべて当該ネットワーク機器に応用可能であり、かつ同一または類似する効果を奏することもできる。
【０１０３】
また、本開示の各実施例における各機能的モジュールは、１つの処理モジュールに集積されてもよく、各々のモジュールが単独で物理的に含まれてもよく、２つ以上のモジュールが１つのモジュールに集積されてもよい。上記の集積モジュールは、ハードウェアの形態で実現されてもよく、ハードウェアとソフトウェアを組み合わせた機能的モジュールの形態で実現されてもよい。
【０１０４】
本開示の一部実施例において、端末をさらに提供する。図８に示すように、プロセッサ５１０を含む。プロセッサ５１０は、メモリ５２０からプログラムを読み取ることによって、ＤＣＩが搬送される制御チャネルの位置するＢＷＰを特定するプロセスと、制御チャネルの位置するＢＷＰに基づき、ＤＣＩの中のリソース割り当て指示エリアのビット数Ｎを特定するプロセスとを実行することに用いられる。
【０１０５】
本開示の一部実施例において、端末は、トランシーバ５１１をさらに含む。プロセッサ５１０は、メモリ５２０からプログラムを読み取ることによって、トランシーバ５１１でＤＣＩを受信するプロセスを実行することに用いられる。トランシーバ５１１は、プロセッサ５１０による制御でＤＣＩを受信することに用いられる。
【０１０６】
ここで、図８において、バスアーキテクチャは、任意数の相互接続するバスとブリッジを含み、具体的に、プロセッサ５１０をはじめとする１つ又は複数のプロセッサとメモリ５２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１１は、複数の部品であってもよく、即ち送信機と受信機を含み、伝送媒体でほかの各種類の装置と通信するユニットとして提供される。プロセッサ５１０は、バスアーキテクチャと通常の処理を管理する。メモリ５２０は、プロセッサ５１０による操作実行に使用されるデータを記憶できる。
【０１０７】
プロセッサ５１０は、バスアーキテクチャと通常の処理を管理する。メモリ５２０は、プロセッサ５１０による操作実行に使用されるデータを記憶できる。
【０１０８】
プロセッサ５１０は、さらに、前記コンピュータプログラムを読み取ることによって、ＤＣＩの中のリソース割り当て指示エリアのビット数Ｎを特定するステップを実行することに用いられる。
【０１０９】
プロセッサ５１０は、さらに、前記コンピュータプログラムを読み取ることによって、前記ＤＣＩに基づき、データチャネルの位置するＢＷＰを特定するステップと、前記ＤＣＩの中のリソース割り当て指示エリアの情報に基づき、データチャネルに対し、前記データチャネルの位置するＢＷＰでのリソース割り当てを特定するステップとを実行することに用いられる。
【０１１０】
プロセッサ５１０は、さらに、前記コンピュータプログラムを読み取ることによって、データチャネルの位置するＢＷＰのＲＢＧ数Ｌを特定するステップと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するステップとを実行することに用いられる。
【０１１１】
ここで、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【０１１２】
プロセッサ５１０は、さらに、前記コンピュータプログラムを読み取ることによって、データチャネルの位置するＢＷＰのうちリソース割り当てに必要なビット数Ｍを特定するステップと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定するステップとを実行することに用いられる。
【０１１３】
本開示の一部実施例において、ＮがＭ以上であると、前記Ｍビットは、前記Ｎビットの上位Ｍビットであり、または、前記Ｍビットは、前記Ｎビットの下位Ｍビットである。
【０１１４】
ＮがＭより小さくなると、前記Ｎビットは、前記Ｍビットの下位Ｎビットであり、または、前記Ｎビットは、前記Ｍビットの上位Ｎビットである。
【０１１５】
本開示の一部実施例において、ネットワーク側機器をさらに提供する。図９に示すように、ネットワーク側機器は、プロセッサ６１０を含む。プロセッサ６１０は、メモリ６２０からプログラムを読み取ることによって、ＤＣＩの中のリソース割り当て指示エリアのビット数Ｎを特定するプロセスを実行することに用いられる。
【０１１６】
本開示の一部実施例において、ネットワーク側機器は、トランシーバ６１１をさらに含む。プロセッサ６１０は、さらに、メモリ６２０からプログラムを読み取ることによって、トランシーバ６１１でＤＣＩを送信するプロセスを実行することに用いられる。トランシーバ６１１は、プロセッサ６１０による制御でＤＣＩを送信することに用いられる。
【０１１７】
ここで、図９において、バスアーキテクチャは、任意数の相互接続するバスとブリッジを含み、具体的に、プロセッサ６１０をはじめとする１つ又は複数のプロセッサとメモリ６２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１１は、複数の部品であってもよく、即ち送信機と受信機を含み、伝送媒体でほかの各種類の装置と通信するユニットとして提供される。プロセッサ６１０は、バスアーキテクチャと通常の処理を管理する。メモリ６２０は、プロセッサ６１０による操作実行に使用されるデータを記憶できる。
【０１１８】
プロセッサ６１０は、バスアーキテクチャと通常の処理を管理する。メモリ６２０は、プロセッサ６１０による操作実行に使用されるデータを記憶できる。
【０１１９】
プロセッサ６１０は、さらに、前記コンピュータプログラムを読み取ることによって、ＤＣＩの中のリソース割り当て指示エリアのビット数Ｎを特定するステップを実行することに用いられる。
【０１２０】
プロセッサ６１０は、さらに、前記コンピュータプログラムを読み取ることによって、データチャネルの位置するＢＷＰを前記ＤＣＩによって指示し、前記リソース割り当て指示エリアで、Ｎビットによって、データチャネルに対し、前記データチャネルの位置するＢＷＰでのリソース割り当てを指示するステップを実行することに用いられる。
【０１２１】
プロセッサ６１０は、さらに、前記コンピュータプログラムを読み取ることによって、データチャネルの位置するＢＷＰのＲＢＧ数Ｌを特定するステップと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示するステップとを実行することに用いられる。
【０１２２】
本開示の一部実施例において、前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【０１２３】
プロセッサ６１０は、さらに、前記コンピュータプログラムを読み取ることによって、データチャネルの位置するＢＷＰのうちリソース割り当てに必要なビット数Ｍを特定するステップと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示するステップとを実行することに用いられる。
【０１２４】
本開示の一部実施例において、ＮがＭ以上であると、前記Ｍビットは、前記Ｎビットの上位Ｍビットであり、または、前記Ｍビットは、前記Ｎビットの下位Ｍビットである。
【０１２５】
本開示の一部実施例において、ＮがＭより小さくなると、前記Ｎビットは、前記Ｍビットの下位Ｎビットであり、または、前記Ｎビットは、前記Ｍビットの上位Ｎビットである。
【０１２６】
本開示の一部実施例において、コンピュータプログラムが記憶されているコンピュータ読み取り可能な記憶媒体をさらに提供する。当該プログラムがプロセッサによって実行されると、ＤＣＩの中のリソース割り当て指示エリアのビット数Ｎを特定するステップが実現される。
【０１２７】
本開示の一部実施例において、当該プログラムがプロセッサによって実行されると、ＤＣＩの中のリソース割り当て指示エリアのビット数Ｎを特定するステップが実現される。
【０１２８】
本開示の一部実施例において、当該プログラムがプロセッサによって実行されると、さらに、前記ＤＣＩに基づき、データチャネルの位置するＢＷＰを特定するステップと、前記ＤＣＩの中のリソース割り当て指示エリアの情報に基づき、データチャネルに対し、前記データチャネルの位置するＢＷＰでのリソース割り当てを特定するステップとが実現される。
【０１２９】
本開示の一部実施例において、当該プログラムがプロセッサによって実行されると、さらに、データチャネルの位置するＢＷＰのＲＢＧ数Ｌを特定するステップと、ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するステップとが実現される。
【０１３０】
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【０１３１】
本開示の一部実施例において、当該プログラムがプロセッサによって実行されると、さらに、データチャネルの位置するＢＷＰのうちリソース割り当てに必要なビット数Ｍを特定するステップと、ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定するステップとが実現される。
【０１３２】
本開示の一部実施例において、ＮがＭ以上であると、前記Ｍビットは、前記Ｎビットの上位Ｍビットであり、または、前記Ｍビットは、前記Ｎビットの下位Ｍビットである。ＮがＭより小さくなると、前記Ｎビットは、前記Ｍビットの下位Ｎビットであり、または、前記Ｎビットは、前記Ｍビットの上位Ｎビットである。
【０１３３】
本開示の一部実施例において、コンピュータプログラムが記憶されているコンピュータ読み取り可能な記憶媒体をさらに提供する。当該プログラムがプロセッサによって実行されると、ＤＣＩの中のリソース割り当て指示エリアのビット数Ｎを特定するステップが実現される。
【０１３４】
本開示の一部実施例において、当該プログラムがプロセッサによって実行されると、ＤＣＩの中のリソース割り当て指示エリアのビット数Ｎを特定するステップが実現される。
【０１３５】
本開示の一部実施例において、当該プログラムがプロセッサによって実行されると、さらに、データチャネルの位置するＢＷＰを前記ＤＣＩによって指示し、前記リソース割り当て指示エリアで、Ｎビットによって、データチャネルに対し、前記データチャネルの位置するＢＷＰでのリソース割り当てを指示するステップとが実現される。
【０１３６】
本開示の一部実施例において、当該プログラムがプロセッサによって実行されると、さらに、データチャネルの位置するＢＷＰのＲＢＧ数Ｌを特定するステップと、ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示するステップとが実現される。
【０１３７】
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである。
【０１３８】
本開示の一部実施例において、当該プログラムがプロセッサによって実行されると、さらに、データチャネルの位置するＢＷＰのうちリソース割り当てに必要なビット数Ｍを特定するステップと、ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示するステップとが実現される。
【０１３９】
本開示の一部実施例において、ＮがＭ以上であると、前記Ｍビットは、前記Ｎビットの上位Ｍビットであり、または、前記Ｍビットは、前記Ｎビットの下位Ｍビットである。ＮがＭより小さくなると、前記Ｎビットは、前記Ｍビットの下位Ｎビットであり、または、前記Ｎビットは、前記Ｍビットの上位Ｎビットである。
【０１４０】
コンピュータ読み取り可能な媒体は、永久的媒体や非永久的媒体、リムーバブル媒体やノンムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１４１】
以上は、本開示の一部の実施例である。なお、当業者は、本開示に記載されている原理を逸脱せずに様々な改良や修飾をすることもできる。これらの改良や修飾も、本開示の保護範囲として見なされるべきである。
【図１】
2020536419.tif 000005
【図２】
2020536419.tif 000006
【図３】
2020536419.tif 000007
【図４】
2020536419.tif 000008
【図５】
2020536419.tif 000009
【図６】
2020536419.tif 000010
【図７】
2020536419.tif 000011
【図８】
2020536419.tif 000012
【図９】
2020536419.tif 000013
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
端末に応用されるリソース割り当て特定方法において、
ＤＣＩの中のリソース割り当て指示エリアのビット数Ｎを特定することと、
前記ＤＣＩに基づき、データチャネルの位置するＢＷＰを特定することと、
前記ＤＣＩの中のリソース割り当て指示エリアの情報に基づき、データチャネルに対し、前記データチャネルの位置するＢＷＰでのリソース割り当てを特定することとを含む、リソース割り当て特定方法。
【請求項２】
前記ＤＣＩの中のリソース割り当て指示エリアの情報に基づき、データチャネルに対し、前記データチャネルの位置するＢＷＰでのリソース割り当てを特定することは、
データチャネルの位置するＢＷＰのＲＢＧ数Ｌを特定することと、
ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、
ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定することとを含む、請求項１に記載のリソース割り当て特定方法。
【請求項３】
前記ＤＣＩの中のリソース割り当て指示エリアの情報に基づき、データチャネルに対し、前記データチャネルの位置するＢＷＰ内のＮ個のＲＢＧでのリソース割り当てを特定する場合、
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項２に記載のリソース割り当て特定方法。
【請求項４】
前記ＤＣＩの中のリソース割り当て指示エリアの情報に基づき、データチャネルに対し、前記データチャネルの位置するＢＷＰでのリソース割り当てを特定することは、
データチャネルの位置するＢＷＰのうちリソース割り当てに必要なビット数Ｍを特定することと、
ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定し、
ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定することとを含む、請求項１に記載のリソース割り当て特定方法。
【請求項５】
前記ＮがＭ以上であると、前記ＤＣＩの中のリソース割り当て指示エリアのＮビットのうちのＭビットの情報に基づき、データチャネルに対し、前記データチャネルの位置するＢＷＰで周波数領域リソースの割り当てを特定する場合、
前記Ｍビットは、前記Ｎビットの上位Ｍビットであり、または、前記Ｍビットは、前記Ｎビットの下位Ｍビットである、請求項４に記載のリソース割り当て特定方法。
【請求項６】
前記ＮがＭより小さくなると、前記ＤＣＩの中のリソース割り当て指示エリアのＮビットの情報に基づき、データチャネルに対し、前記データチャネルの位置するＢＷＰで周波数領域リソースの割り当てを特定する場合、
前記Ｎビットは、前記Ｍビットの下位Ｎビットであり、または、前記Ｎビットは、前記Ｍビットの上位Ｎビットである、請求項４に記載のリソース割り当て特定方法。
【請求項７】
ネットワーク側機器に応用されるリソース割り当て指示方法において、
ＤＣＩの中のリソース割り当て指示エリアのビット数Ｎを特定することと、
データチャネルの位置するＢＷＰを前記ＤＣＩによって指示することと、
前記リソース割り当て指示エリアで、Ｎビットによって、データチャネルに対し、前記データチャネルの位置するＢＷＰでのリソース割り当てを指示することとを含む、リソース割り当て指示方法。
【請求項８】
前記リソース割り当て指示エリアで、Ｎビットによって、データチャネルに対し、前記データチャネルの位置するＢＷＰでのリソース割り当てを指示することは、
データチャネルの位置するＢＷＰのＲＢＧ数Ｌを特定することと、
ＮがＬ以上であると、前記リソース割り当て指示エリアで、Ｎビットによって、データチャネルに対し、前記データチャネルの位置するＢＷＰ内のＬ個のＲＢＧでのリソース割り当てを指示し、
ＮがＬより小さくなると、前記リソース割り当て指示エリアで、Ｎビットによって、データチャネルに対し、前記データチャネルの位置するＢＷＰ内のＮ個のＲＢＧでのリソース割り当てを指示することとを含む、請求項７に記載のリソース割り当て指示方法。
【請求項９】
前記リソース割り当て指示エリアで、Ｎビットによって、データチャネルに対し、前記データチャネルの位置するＢＷＰ内のＮ個のＲＢＧでのリソース割り当てを指示する場合、
前記Ｎ個のＲＢＧは、Ｌ個のＲＢＧのうち周波数の最も高いＮ個のＲＢＧであり、または、前記Ｎ個のＲＢＧは、Ｌ個のＲＢＧのうち周波数の最も低いＮ個のＲＢＧである、請求項８に記載のリソース割り当て指示方法。
【請求項１０】
前記リソース割り当て指示エリアで、Ｎビットによって、データチャネルに対し、前記データチャネルの位置するＢＷＰでのリソース割り当てを指示することは、
データチャネルの位置するＢＷＰのうちリソース割り当てに必要なビット数Ｍを特定することと、
ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示し、
ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示することとを含む、請求項７に記載のリソース割り当て指示方法。
【請求項１１】
前記ＮがＭ以上であると、前記ＤＣＩの中のリソース割り当て指示エリアのＮビットのうちのＭビットの情報によって、データチャネルに対し、前記データチャネルの位置するＢＷＰで周波数領域リソースの割り当てを指示する場合、
前記Ｍビットは、前記Ｎビットの上位Ｍビットであり、または、前記Ｍビットは、前記Ｎビットの下位Ｍビットである、請求項１０に記載のリソース割り当て指示方法。
【請求項１２】
前記ＮがＭより小さくなると、前記ＤＣＩの中のリソース割り当て指示エリアのＮビットの情報によって、データチャネルに対し、前記データチャネルの位置するＢＷＰで周波数領域リソースの割り当てを指示する場合、
前記Ｎビットは、前記Ｍビットの下位Ｎビットであり、または、前記Ｎビットは、前記Ｍビットの上位Ｎビットである、請求項１０に記載のリソース割り当て指示方法。
【請求項１３】
ＤＣＩの中のリソース割り当て指示エリアのビット数Ｎを特定するための計算モジュールと、
前記ＤＣＩに基づき、データチャネルの位置するＢＷＰを特定するためのＢＷＰ特定モジュールと、
前記ＤＣＩの中のリソース割り当て指示エリアの情報に基づき、データチャネルに対し、前記データチャネルの位置するＢＷＰでのリソース割り当てを特定するためのリソース割り当て特定モジュールとを含む、端末。
【請求項１４】
前記リソース割り当て特定モジュールは、
データチャネルの位置するＢＷＰのＲＢＧ数Ｌを特定するための第３計算ユニットと、
ＮがＬ以上であると、前記ＤＣＩの中のリソース割り当て指示エリアの情報に基づき、データチャネルに対し、前記データチャネルの位置するＢＷＰ内のＬ個のＲＢＧでのリソース割り当てを特定し、ＮがＬより小さくなると、前記ＤＣＩの中のリソース割り当て指示エリアの情報に基づき、データチャネルに対し、前記データチャネルの位置するＢＷＰ内のＮ個のＲＢＧでのリソース割り当てを特定するための第１特定ユニットとを含む、請求項１３に記載の端末。
【請求項１５】
ＤＣＩの中のリソース割り当て指示エリアのビット数Ｎを特定するための計算モジュールと、
データチャネルの位置するＢＷＰを前記ＤＣＩによって指示するためのＢＷＰ指示モジュールと、
前記リソース割り当て指示エリアで、Ｎビットによって、データチャネルに対し、前記データチャネルの位置するＢＷＰでのリソース割り当てを指示するためのリソース割り当て指示モジュールとを含む、ネットワーク側機器。
【国際調査報告】
2020536419.tif 000014
2020536419.tif 000015
2020536419.tif 000016
2020536419.tif 000017